【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
高調波的に拡張された信号の第１の複数のサブフレームのエネルギーレベルに少なくとも部分的に基づいて、音声信号のハイバンド部分に関連するハイバンド残差信号の第２の複数のサブフレームのエネルギーレベルに少なくとも部分的に基づいて、または任意のそれらの組合せで、第１の利得形状パラメータの第１の決定を発話符号器において行うことと、
前記第１の利得形状パラメータに少なくとも部分的に基づいてハイバンド励振信号を生成することと、
前記ハイバンド励振信号に基づいて合成ハイバンド信号を生成することと、
前記合成ハイバンド信号に基づいておよび前記音声信号の前記ハイバンド部分に基づいて第２の利得形状パラメータの第２の決定を行うことと、
前記第１の利得形状パラメータと前記第２の利得形状パラメータとを前記音声信号の符号化バージョンに挿入することと
を備える方法。
【請求項２】
前記第１の決定は、第１の利得形状推定器段階において行われ、前記第２の決定は、第２の利得形状推定器段階において行われ、前記第２の利得形状推定器段階は、前記第１の利得形状推定器段階とは異なる、請求項１に記載の方法。
【請求項３】
前記第１の決定、前記第２の決定、および前記挿入することは、モバイル通信デバイスを備えるデバイスにおいて行われる、請求項１に記載の方法。
【請求項４】
前記第１の利得形状パラメータは、線形予測残差ドメインにおいて決定され、前記第２の利得形状パラメータは、線形予測合成ドメインにおいて決定され、前記高調波的に拡張された信号は、非線形高調波拡張により前記音声信号のローバンド部分から生成される、請求項１に記載の方法。
【請求項５】
修正済みの高調波的に拡張された信号を生成するために前記第１の利得形状パラメータに基づいて前記高調波的に拡張された信号を調整することと、
ここにおいて、前記ハイバンド励振信号を生成することは、前記修正済みの高調波的に拡張された信号に少なくとも部分的に基づく、
前記合成ハイバンド信号を生成するために、前記ハイバンド励振信号に線形予測合成演算を行うことと、
前記第２の利得形状パラメータに基づいて前記合成ハイバンド信号を調整することと
をさらに備える、請求項１に記載の方法。
【請求項６】
前記ハイバンド励振信号は、前記修正済みの高調波的に拡張された信号および変調された雑音信号に基づいて生成される、請求項５に記載の方法。
【請求項７】
第１の複数のサブフレームを生成するために前記高調波的に拡張された信号のローバンドフレームをサンプリングすること、または
第２の複数のサブフレームを生成するために前記ハイバンド残差信号の対応するハイバンドフレームをサンプリングすること
をさらに備える、請求項１に記載の方法。
【請求項８】
前記高調波的に拡張された信号を調整することは、前記第２の複数のサブフレームの対応するサブフレームのエネルギーレベルに近づくように前記第１の複数のサブフレームの特定のサブフレームを拡大縮小することを備える、請求項７に記載の方法。
【請求項９】
前記第２の複数のサブフレームは、前記ハイバンドフレームが有声フレームであるという決定に応じて第１の数のサブフレームを含み、前記第２の複数のサブフレームは、前記ハイバンドフレームが有声フレームではないという決定に応じて前記第１の数のサブフレームよりも少ない第２の数のサブフレームを含む、請求項７に記載の方法。
【請求項１０】
前記第１の複数のサブフレームと前記第２の複数のサブフレームとが、有声フレームと無声フレームの両方について同数のサブフレームを含み、前記第１の複数のサブフレームおよび前記第２の複数のサブフレームは、ローバンドコアサンプルレートが１２．８キロヘルツ（ｋＨｚ）である場合、４つのサブフレームを含み、前記第１の複数のサブフレームおよび前記第２の複数のサブフレームは、前記ローバンドコアサンプルレートが１６ｋＨｚである場合、５つのサブフレームを含む、請求項７に記載の方法。
【請求項１１】
前記第１の決定、前記第２の決定、および前記挿入することは、固定ロケーションデータユニットを備えるデバイスにおいて行われる、請求項１に記載の方法。
【請求項１２】
高調波的に拡張された信号の第１の複数のサブフレームのエネルギーレベルに少なくとも部分的に基づいて、音声信号のハイバンド部分に関連するハイバンド残差信号の第２の複数のサブフレームのエネルギーレベルに少なくとも部分的に基づいて、または任意のそれらの組合せで、第１の利得形状パラメータを決定するように構成された第１の利得形状推定器と、
前記第１の利得形状パラメータに少なくとも部分的に基づいてハイバンド励振信号を生成するように構成されたハイバンド励振発生器と、
合成ハイバンド信号を生成するために前記ハイバンド励振信号に線形予測合成演算を行うように構成された線形予測合成器と、
前記合成ハイバンド信号に基づいておよび前記音声信号の前記ハイバンド部分に基づいて第２の利得形状パラメータを決定するように構成された第２の利得形状推定器と、
前記第１の利得形状パラメータと前記第２の利得形状パラメータとを前記音声信号の符号化バージョンに挿入するように構成された回路と
を備える装置。
【請求項１３】
前記第１の利得形状パラメータは、線形予測残差ドメインにおいて決定され、前記回路は、マルチプレクサを含み、前記高調波的に拡張された信号は、非線形高調波拡張により前記音声信号のローバンド部分から生成される、請求項１２に記載の装置。
【請求項１４】
アンテナと、
前記アンテナに結合され、前記音声信号を受信するように構成された受信機と、
をさらに備える、請求項１２に記載の装置。
【請求項１５】
前記第１の利得形状推定器、前記第２の利得形状推定器、前記回路、および前記受信機に結合されたプロセッサをさらに備え、ここにおいて、前記プロセッサは、モバイル通信デバイスに統合される、請求項１４に記載の装置。
【請求項１６】
前記第１の利得形状推定器、前記第２の利得形状推定器、前記回路、および前記受信機に結合されたプロセッサをさらに備え、ここにおいて、前記プロセッサは、固定ロケーションデータユニットに統合される、請求項１４に記載の装置。
【請求項１７】
修正済みの高調波的に拡張された信号を生成するために前記第１の利得形状パラメータに基づいて前記高調波的に拡張された信号を調整するように構成された第１の利得形状調整器をさらに備え、ここにおいて、前記第１の利得形状推定器は、
第１の複数のサブフレームを生成するために前記高調波的に拡張された信号のローバンドフレームをサンプリングし、または、
第２の複数のサブフレームを生成するために前記ハイバンド残差信号の対応するハイバンドフレームをサンプリングする
ようにさらに構成される、請求項１２に記載の装置。
【請求項１８】
前記第１の複数のサブフレームは、前記ハイバンドフレームが有声フレームであるという決定に応じて第１の数のサブフレームを含み、前記第１の複数のサブフレームは、前記ハイバンドフレームが有声フレームではないという決定に応じて前記第１の数のサブフレームよりも少ない第２の数のサブフレームを含む、請求項１７に記載の装置。
【請求項１９】
前記第１の複数のサブフレームは、前記ハイバンドフレームが有声フレームであるという決定に応じて１６個のサブフレームを含む、請求項１７に記載の装置。
【請求項２０】
前記ハイバンド励振発生器は、前記修正済みの高調波的に拡張された信号および変調された雑音信号に基づいて、ハイバンド励振信号を生成するように構成される、請求項１７に記載の装置。
【請求項２１】
前記高調波的に拡張された信号のローバンドフレームに基づいて、前記高調波的に拡張された信号を調整するように構成された第１の利得形状調整器と、
前記第２の利得形状パラメータに基づいて前記合成ハイバンド信号を調整するように構成された第２の利得形状調整器と
をさらに備える、請求項１２に記載の装置。
【請求項２２】
発話符号器からの符号化音声信号を発話復号器において受信することと、
ここにおいて、前記符号化音声信号が、
第１の決定に基づく第１の利得形状パラメータと、前記第１の決定は、前記発話符号器において生成された第１の高調波的に拡張された信号の第１の複数のサブフレームのエネルギーレベルに少なくとも部分的に基づく、前記発話符号器において生成されたハイバンド残差信号の第２の複数のサブフレームのエネルギーレベルに少なくとも部分的に基づく、または任意のそれらの組合せである、
第２の決定に基づく第２の利得形状パラメータと、前記第２の決定は、前記発話符号器において生成された第１の合成ハイバンド信号に基づくおよび音声信号のハイバンド部分に基づく、ここにおいて、前記合成ハイバンド信号は、前記第１の利得形状パラメータに少なくとも部分的に基づく、第１のハイバンド励振信号に基づくものである、
を備える、
前記第１の利得形状パラメータに基づいておよび前記第２の利得形状パラメータに基づいて前記符号化音声信号から前記音声信号を再生することと
を備える方法。
【請求項２３】
前記発話復号器において前記音声信号を再生することが、
前記符号化音声信号のローバンド励振を非直線的に拡張することに基づいて第２の高調波的に拡張された信号を生成することと、
修正済みの第２の高調波的に拡張された信号を得るために前記第１の利得形状パラメータに基づいて前記第２の高調波的に拡張された信号を調整することと、
前記修正済みの第２の高調波的に拡張された信号に基づいて第２のハイバンド励振信号を生成することと、
第２の合成ハイバンド信号を生成するために、前記第２のハイバンド励振信号に線形予測合成演算を行うことと、
前記第２の利得形状パラメータに基づいて前記第２の合成ハイバンド信号を調整することと
を備える、請求項２２に記載の方法。
【請求項２４】
前記受信することおよび前記再生することは、モバイル通信デバイスを備えるデバイスにおいて行われる、請求項２２に記載の方法。
【請求項２５】
前記受信することおよび前記再生することは、固定ロケーションデータユニットを備えるデバイスにおいて行われる、請求項２２に記載の方法。
【請求項２６】
発話復号器を含むシステムであって、前記発話復号器は、
発話符号器からの符号化音声信号を受信することと、ここにおいて、前記符号化音声信号が、
第１の決定に基づく第１の利得形状パラメータと、前記第１の決定は、前記発話符号器において生成された第１の高調波的に拡張された信号の第１の複数のサブフレームのエネルギーレベルに少なくとも部分的に基づく、前記発話符号器において生成されたハイバンド残差信号の第２の複数のサブフレームのエネルギーレベルに少なくとも部分的に基づく、または任意のそれらの組合せである、
第２の決定に基づく第２の利得形状パラメータと、前記第２の決定は、前記発話符号器において生成された第１の合成ハイバンド信号に基づくおよび音声信号のハイバンド部分に基づく、ここにおいて、前記第１の合成ハイバンド信号は、前記第１の利得形状パラメータに少なくとも部分的に基づく、第１のハイバンド励振信号に基づくものである、
を備える、
前記第１の利得形状パラメータに基づいておよび前記第２の利得形状パラメータに基づいて前記符号化音声信号から前記音声信号を再生することと
を行うように構成されるシステム。
【請求項２７】
アンテナと、
前記アンテナに結合され、前記符号化音声信号を受信するように構成された受信機と、
をさらに備える、請求項２６に記載のシステム。
【請求項２８】
前記受信機に結合されたプロセッサをさらに備え、ここにおいて、前記プロセッサおよび前記受信機は、モバイル通信デバイスに統合される、請求項２７に記載のシステム。
【請求項２９】
前記受信機に結合されたプロセッサをさらに備え、ここにおいて、前記プロセッサおよび前記受信機は、固定ロケーションデータユニットに統合される、請求項２７に記載のシステム。
【請求項３０】
前記符号化音声信号のローバンド励振に基づいて第２の高調波的に拡張された信号を生成するように構成された非線形励振発生器と、
第２の修正済みの高調波的に拡張された信号を得るために前記第１の利得形状パラメータに基づいて前記第２の高調波的に拡張された信号を調整するように構成された第１の利得形状調整器と、
前記修正済みの第２の高調波的に拡張された信号に基づいて第２のハイバンド励振信号を生成するように構成されたハイバンド励振発生器と、
を備える、請求項２６に記載のシステム。